(57)【要約】【課題】１回の操作で第１の電子機器及び第２の電子機器を操作することができるリモートコントロール装置において、第１の電子機器と第２の電子機器の設置場所が離れていると、１回の操作で第１の電子機器及び第２の電子機器の電源をオンオフすることができなかった。【解決手段】複数の電子機器を操作することができるリモートコントロール装置において、操作部から電源制御ボタンが押圧されたとき、第１の電子機器の電源をオン又はオフするリモートコントロール信号を送信する制御をし、押圧された電源制御ボタンの押圧が解除されたとき、第２の電子機器の電源をオン又はオフするリモートコントロール信号を送信する制御をする制御部を備える。【選択図】　図１
2004120159.tif 000002
【特許請求の範囲】
【請求項１】
第１の電子機器と第２の電子機器を操作するためのリモートコントロール信号を送信するリモートコントロール装置において、
第１の電子機器と第２の電子機器の電源をオンオフするリモートコントロール信号の送信を指示する電源制御ボタンを有する操作部と、
第１の電子機器と第２の電子機器を制御する複数のリモートコントロール信号を記憶する記憶部と、
前記記憶部に記憶されているリモートコントロール信号を送信する送信部と、
前記操作部の前記電源制御ボタンが押圧されたとき、前記記憶部に記憶された複数のリモートコントロール信号の中から第１の電子機器の電源をオンオフするリモートコントロール信号を読み出し前記送信部から送信する制御をし、前記電源制御ボタンの押圧が解除されたとき、前記記憶部に記憶された複数のリモートコントロール信号の中から第２の電子機器の電源をオンオフするリモートコントロール信号を読み出し前記送信部から送信する制御をする制御部を備えたことを特徴とするリモートコントロール装置。
【請求項２】
第１の電子機器と第２の電子機器を操作するためのリモートコントロール信号を送信するリモートコントロール装置において、
電源制御ボタンを備え、
前記電源制御ボタンが押圧されたとき、第１の電子機器の電源をオンオフするリモートコントロール信号を送信し、前記電源制御ボタンの押圧が解除されたとき、第２の電子機器の電源をオンオフするリモートコントロール信号を送信することを特徴とするリモートコントロール装置。
【発明の詳細な説明】
【０００１】
【発明の属する技術分野】
本発明は、電子機器を操作するためのリモートコントロール信号を送信するリモートコントロール装置に関する。
【０００２】
【従来の技術】
従来から、ＴＶ機器、ビデオ機器及びオーディオ機器等の電子機器は、それぞれ専用のリモートコントロール装置を用いて操作することができる。
【０００３】
例えば、ＴＶ機器及びビデオ機器を操作する場合、１つのリモートコントロール装置の１つのボタンを用いて１回の操作でＴＶ機器の電源をオンするリモートコントロール信号及びビデオ機器の電源をオンするリモートコントロール信号を連続して送信することができるリモートコントロール装置がある（例えば、特許文献１参照。）。
【０００４】
【特許文献１】
特開平５−１４９７６号公報
【０００５】
【発明が解決しようとする課題】
特許文献１に開示されているリモートコントロール装置では、ＴＶ機器の設置場所とビデオ機器の設置場所が離れているとき、リモートコントロール装置から送信したリモートコントロール信号をＴＶ機器は受信し、ビデオ機器は受信しない場合又はその逆の場合がある。このような場合、テレビ機器又はビデオ機器のどちらか一方の機器の電源がオンし、他方の機器の電源がオンしないという事態になる。このような事態に陥った場合、使用者は、再度電源がオンしていない機器に近づいてリモートコントロール信号を送信しなければならない。
【０００６】
また、特許文献１に開示されているリモートコントロール装置では、ＴＶ機器の電源をオンするリモートコントロール信号及びビデオ機器の電源をオンするリモートコントロール信号を連続して送信するため、ＴＶ機器の設置場所とビデオ機器の設置場所が近いとき、ＴＶ機器又はビデオ機器のどちらか一方の電源のみをオンすることが困難である。
【０００７】
【課題を解決するための手段】
上記の課題を解決するために、本願の請求項１記載の発明は、第１の電子機器と第２の電子機器を操作するためのリモートコントロール信号を送信するリモートコントロール装置において、第１の電子機器と第２の電子機器の電源をオンオフするリモートコントロール信号の送信を指示する電源制御ボタンを有する操作部と、第１の電子機器と第２の電子機器を制御する複数のリモートコントロール信号を記憶する記憶部と、前記記憶部に記憶されているリモートコントロール信号を送信する送信部と、前記操作部の前記電源制御ボタンが押圧されたとき、前記記憶部に記憶された複数のリモートコントロール信号の中から第１の電子機器の電源をオンオフするリモートコントロール信号を読み出し前記送信部から送信する制御をし、前記電源制御ボタンの押圧が解除されたとき、前記記憶部に記憶された複数のリモートコントロール信号の中から第２の電子機器の電源をオンオフするリモートコントロール信号を読み出し前記送信部から送信する制御をする制御部を備えたことを特徴とする。
【０００８】
また、本願の請求項２記載の発明は、第１の電子機器と第２の電子機器を操作するためのリモートコントロール信号を送信するリモートコントロール装置において、電源制御ボタンを備え、前記電源制御ボタンが押圧されたとき、第１の電子機器の電源をオンオフするリモートコントロール信号を送信し、前記電源制御ボタンの押圧が解除されたとき、第２の電子機器の電源をオンオフするリモートコントロール信号を送信することを特徴とする。
【０００９】
【発明の実施の形態】
以下、本発明の実施の形態を図面に基づいて説明する。
図１は、本実施例のリモートコントロール装置の構成を示すブロック図である。図１において、１は操作部、２は制御部、３は記憶部、４は送信部を示す。
【００１０】
本実施例では、ＴＶ機器及びビデオ機器を操作することができるリモートコントロール装置を例に挙げ、本実施例のリモートコントロール装置がリモートコントロール信号を送信する動作を説明する。
【００１１】
操作部１は、複数の操作ボタンを備えている。操作ボタンは、押圧されると、下方に移動し、押圧を解除すると情報に移動する（元の位置に戻る）構成となっている。操作ボタンが押圧されたとき、後述する図２に示す入力部２０１と出力部２０２は、電気的に接続する。操作ボタンとして、電源制御ボタン、ＴＶ機器を操作するＴＶ操作ボタン及びビデオ機器を操作するビデオ操作ボタンがある。ＴＶ操作ボタンとしては、チャンネルに対応した数字ボタン、音量を調節する音量調節ボタン等がある。ビデオ操作ボタンとしては、再生ボタン、再生停止ボタン、早送りボタン、早戻しボタン、録画ボタン等がある。
【００１２】
制御部２は、操作部１の操作ボタンが押圧されたか否かを判別し、押圧された操作ボタンに対応したリモートコントロール信号を後述する記憶部３から読み出す制御をする。また、制御部２は、記憶部３から読み出されたリモートコントロール信号を後述する送信部４に入力し送信する制御をする。
【００１３】
記憶部３は、操作部１の操作ボタンに対応したリモートコントロール信号を記憶する。送信部４は、制御部２から入力されたリモートコントロール信号を増幅し、入力されたリモートコントロール信号に応じて赤外線発光ダイオードを発光させることにより、リモートコントロール信号を外部の機器に送信する。
【００１４】
図２は、制御部と操作ボタンの接続を示す図である。
図２に示すように、操作ボタン群１０１は、制御部２の入力部２０１と出力部２０２に接続されている。制御部２は、出力部２０２から信号を出力している。出力部２０２から出力した信号は、操作ボタン群１０１のいずれかの操作ボタンが押圧されたとき、押圧された操作ボタンに接続された入力部２０１に信号が入力される。制御部２は、出力部２０２から出力された信号と入力部２０１に入力された信号から、操作ボタン群１０１のなかのどの操作ボタンが押圧されたかを判別する。また、操作ボタンの押圧が解除されると、入力部２０１に信号が入力されなくなるので、制御部２は、操作ボタンが押圧されなくなったと判別する。
【００１５】
操作部１の電源制御ボタンには、ＴＶ機器の電源をオンオフするリモートコントロール信号とビデオ機器の電源をオンオフするリモートコントロール信号が割り当てられている。この２つのリモートコントロール信号は、記憶部３に予め記憶されている。
【００１６】
操作部１の電源制御ボタンが押圧されると、制御部２は、電源制御ボタンが押圧されたことを判別し、記憶部３からＴＶ機器の電源をオンオフするリモートコントロール信号を読み出す。制御部２により記憶部３から読み出されたＴＶ機器の電源をオンオフするリモートコントロール信号は、送信部４に入力される。送信部４は、入力されたリモートコントロール信号を増幅し赤外線発光ダイオードを発光させリモートコントロール信号を送信する。
【００１７】
続いて、制御部２は、電源制御ボタンの押圧が解除されたと判別すると、記憶部３からビデオ機器の電源をオンオフするリモートコントロール信号を読み出す。制御部２により読み出されたビデオ機器の電源をオンオフするリモートコントロール信号は、送信部４に入力される。送信部４は、入力されたリモートコントロール信号を増幅し赤外線発光ダイオードを発光させリモートコントロール信号を送信する。
【００１８】
上述の実施例のリモートコントロール装置を用いて、ＴＶ機器とビデオ機器の電源をオン又はオフする場合、リモートコントロール装置の使用者は、電源制御ボタンを押圧する。電源制御ボタンが押圧されたとき、リモートコントロール装置からＴＶ機器の電源オンオフするリモートコントロール信号が送信され、電源制御ボタンの押圧を解除したとき、リモートコントロール装置からビデオ機器の電源オンオフするリモートコントロール信号が送信される。ＴＶ機器とビデオ機器が離れた場所に設置されている場合、使用者は、先ず、リモートコントロール装置をＴＶ機器に向けて電源制御ボタンを押圧する。次に、電源制御ボタンを押圧した状態で、リモートコントロール装置をビデオ機器に向け、電源制御ボタンの押圧を解除する。このように、本実施例のリモートコントロール装置では、ＴＶ機器とビデオ機器が離れた場所に設置されていても、１回の操作でＴＶ機器とビデオ機器の電源をオンオフすることができる。
【００１９】
また、ＴＶ機器の設置場所とビデオ機器の設置場所が近い場合、使用者は、ＴＶ機器の電源のみをオン又はオフをするとき、リモートコントロール装置をＴＶ機器に向けて電源制御ボタンを押圧する。ＴＶ機器の電源がオン又はオフされた後、使用者は、リモートコントロール信号がビデオ機器に送信されないように、リモートコントロール装置の送信部４を手で覆うなどして、電源制御ボタンの押圧を解除する。送信部４が手で覆われているので、ビデオ機器の電源をオンオフするリモートコントロール信号は、ビデオ機器に受信されることがない。同様に、ビデオ機器の電源のみをオン又はオフをするとき、使用者は、電源制御ボタンを押圧する前に送信部４を手で覆うなどして、電源制御ボタンの押圧し、手を送信部４から離してから、電源制御ボタンの押圧を解除する。
【００２０】
上述の実施例では、ＴＶ機器及びビデオ機器を操作することができるリモートコントロール装置として説明したが、複数のリモートコントロール装置のリモートコントロール信号を記録することができる学習リモートコントロール装置であってもよい。
【００２１】
【発明の効果】
本発明のリモートコントロール装置によれば、電源制御ボタンが押圧されたとき第１の電子機器の電源をオンオフするリモートコントロール信号が送信され、電源制御ボタンの押圧が解除されたとき、第２の電子機器の電源をオンオフするリモートコントロール信号を送信することができるリモートコントロール装置を提供することができる。
【図面の簡単な説明】
【図１】本実施例であるリモートコントロール装置の構成を示すブロック図。
【図２】制御部と操作ボタン群の接続を示す図。
【符号の説明】
１　　操作部
２　　制御部
３　　記憶部
４　　送信部
１０１　　操作ボタン群
２０１　　入力部
２０２　　出力部
【図１】
2004120159.tif 000003
【図２】
2004120159.tif 000004